(57)【要約】【目的】審美性を損なうことがなく、充分な耐久性を確保した上で、指挟み事故時の怪我の発生を抑制できるトイレ用等のドアの指挟み防止装置を提供する。【構成】開き戸式のトイレ用等のドアの指挟み防止装置であって、  前記ドアの枢支側と取手側の少なくとも一方の端部に、弾性部材で付勢支持された硬質移動部材が加圧時に後退移動可能に取り付けられており、  該硬質移動部材の取り付けられているドアの端部と対向するドア枠の端部に、弾性部材で付勢支持された硬質移動部材が加圧時に後退移動可能に取り付けられていること  を特徴とするトイレ用等のドアの指挟み防止装置である。【選択図】        図１
0003113235.tif 000002
【実用新案登録請求の範囲】
【請求項１】
開き戸式のトイレ用等のドアの指挟み防止装置であって、
前記ドアの枢支側と取手側の少なくとも一方の端部に、弾性部材で付勢支持された硬質移動部材が加圧時に後退移動可能に取り付けられており、
該硬質移動部材の取り付けられているドアの端部と対向するドア枠の端部に、弾性部材で付勢支持された硬質移動部材が加圧時に後退移動可能に取り付けられていること
を特徴とするトイレ用等のドアの指挟み防止装置。
【請求項２】
前記ドアの端部が、枢支側の端部であることを特徴とする請求項１に記載のトイレ用等のドアの指挟み防止装置。
【請求項３】
前記ドアの端部が、取手側の端部であることを特徴とする請求項１に記載のトイレ用等のドアの指挟み防止装置。
【請求項４】
前記ドアの端部が、枢支側と取手側の両方の端部であることを特徴とする請求項１に記載のトイレ用等のドアの指挟み防止装置。
【請求項５】
前記トイレ等用のドアが、１つの個室又は２つ以上の個室から構成されるトイレブースのドアであることを特徴とする請求項１〜４のいずれかに記載のトイレ用等のドアの指挟み防止装置。
【考案の詳細な説明】
【技術分野】
【０００１】
本考案はトイレ用等のドアの指挟み防止装置に関し、詳しくは開き戸式ドアの閉鎖時の指挟み事故を防止するための技術に関する。
【背景技術】
【０００２】
住宅、公共施設、オフィス施設、商業施設、交通施設等に設けられている開き戸式のドア（例えば、トイレ用のドア等）では、ドア閉鎖時に指挟みの事故が発生することがあり、問題となっている。
【０００３】
指挟みは、ドアの取手側の端部と、ヒンジ等が取り付けられている側である枢支側の端部の両方の端部において発生する。特に、枢支側での指挟みは、ドアの閉鎖を行う者とは異なる者、特に幼児・児童等の子供が事故に遭うことが多く、しかも梃子の支点となる枢支側の方が力点となる取手側に比してドア閉鎖時の運動エネルギーが集中するために怪我が大きくなり易いという問題点を有している。
【０００４】
かかる指挟み事故を防止するために、ドアの端部にカバー体等の障害物を配設してドア端部とドア枠端部との間隙に指が入らないようにしたり、或いはドアの端部をゴム等の弾性部材で形成する等して指挟み時の指への当たりを柔らかくする等の手段が採られている。
【考案の開示】
【考案が解決しようとする課題】
【０００５】
しかし、ドア端部にカバー体等の障害物を配設する手段は、枢支側の端部では有効であるが、取手側の端部では指挟みを防止することはできない。また、障害物の配設は美観を損ねるため、内装の審美性の観点から敬遠され易い。
【０００６】
ドア端部をゴム等の弾性部材で形成する手段は、住宅以外の不特定多数者が利用する施設に設置される場合にはドアのように手荒く使用される場合は耐久性の点で不充分である。
【０００７】
そこで本考案の課題は、審美性を損なうことがなく、充分な耐久性を確保した上で、指挟み事故時の怪我の発生を抑制できるトイレ用等のドアの指挟み防止装置を提供することにある。
【課題を解決するための手段】
【０００８】
上記課題を解決する本考案は下記構成を有する。
【０００９】
１．開き戸式のトイレ用等のドアの指挟み防止装置であって、
前記ドアの枢支側と取手側の少なくとも一方の端部に、弾性部材で付勢支持された硬質移動部材が加圧時に後退移動可能に取り付けられており、
該硬質移動部材の取り付けられているドアの端部と対向するドア枠の端部に、弾性部材で付勢支持された硬質移動部材が加圧時に後退移動可能に取り付けられていること
を特徴とするトイレ用等のドアの指挟み防止装置。
【００１０】
２．前記ドアの端部が、枢支側の端部であることを特徴とする上記１に記載のトイレ用等のドアの指挟み防止装置。
【００１１】
３．前記ドアの端部が、取手側の端部であることを特徴とする上記１に記載のトイレ用等のドアの指挟み防止装置。
【００１２】
４．前記ドアの端部が、枢支側と取手側の両方の端部であることを特徴とする上記１に記載のトイレ用等のドアの指挟み防止装置。
【００１３】
５．前記トイレ等用のドアが、１つの個室又は２つ以上の個室から構成されるトイレブースのドアであることを特徴とする上記１〜４のいずれかに記載のトイレ用等のドアの指挟み防止装置。
【考案の効果】
【００１４】
請求項１に示す考案によれば、ドア端部に審美性を損ねる障害物等を配設することなく、ドアの端部と該ドアの端部に対向するドア枠の端部の両方が後退移動する構成により、ドア閉鎖時に誤って指を挟んでしまっても挟んだ指への負担が軽い。従って、怪我の発生を抑制することができる。また、ドアの端部を硬質の部材で構成することにより、充分な耐久性を確保することができる。
【００１５】
請求項２に示す考案によれば、ドアの枢支側の端部に指を挟んでしまっても挟んだ指への負担が少なく、怪我の発生を抑制することができる。
【００１６】
請求項３に示す考案によれば、ドアの取手側の端部に指を挟んでしまっても挟んだ指への負担が少なく、怪我の発生を抑制することができる。特に、障害物の配設では指挟み事故を防止できなかったドアの取手側の端部にも対応可能である。
【００１７】
請求項４に示す考案によれば、ドアの枢支側と取手側の両方の端部で怪我の発生を抑制することができる。
【００１８】
請求項５に示す考案によれば、公共施設、オフィス施設、商業施設、交通施設等に設けられている開き戸式のドアを有するトイレブースに用いることができる。
【考案を実施するための最良の形態】
【００１９】
以下、本考案の詳細について添付図面に基づき説明する。
【００２０】
図１は本考案に係るトイレ用等のドアの指挟み防止装置の一実施例を示す部分概略横断面図、図２は指挟み発生時の硬質移動部材の後退移動状態を示す要部説明断面図、図３及び図４は硬質移動部材を有するエッジ部材の他の実施例を示す要部断面図である。
【００２１】
図１において、１はトイレブース等の開き戸式のドアであり、ドア枠２・３に対してヒンジ機構４により回動することで開閉動作が行われ、閉鎖時に鍵機構５（スライドボルト鍵やラッチ鍵等）により施錠することができる。６・６はトイレブースの隣接する個室との仕切り壁、７は壁面である。尚、鍵機構５は、ドア１の開閉動作時には取手となる。
【００２２】
本明細書において、ドア１のヒンジ機構４が設けられている側を枢支側と言い、鍵機構５が設けられている側を取手側と言うこととする。尚、ヒンジ機構４は、図１に示すような床置ヒンジに限らず、グレビティーヒンジ等の他の公知公用のヒンジ機構でも構わず、ヒンジの存在する側を枢支側と言う。
【００２３】
ドア１の枢支側の端部と取手側の端部には、該端部を保護するためのエッジ部材１０が配設されている。該エッジ部材１０は、ドア１の端部に取り付けられる本体部１１と、該本体部１１に摺動可能に取り付けられる硬質移動部材１２と、該本体部１１に内装されて硬質移動部材１２を付勢支持する板バネやコイルバネ等の弾性部材１３とを有して成る。
【００２４】
本体部１１と硬質移動部材１２は一体的なデザインとなるように同素材で形成することが好ましく、この種のドアのエッジ素材として公知公用の素材の中で耐久性の高い硬質なステンレス、アルミ等によって形成される。
【００２５】
弾性部材１３としては、板バネやコイルバネに限らず、本体部１１に内装されて硬質移動部材１２を加圧時に後退移動可能に付勢支持できる弾性材料であればよく、また取付構成も特に限定されない。
【００２６】
硬質移動部材１２を有するエッジ部材１０は、図１に示す実施例のようにドア１の枢支側と取手側の両方に取り付けられることにより、ドア１の両方の端部で発生する指挟みに対応することができるが、本考案はこれに限定されず、枢支側と取手側のいずれか一方の端部にのみ取り付けられる態様も本考案に含むものである。
【００２７】
また、硬質移動部材１２を有するエッジ部材１０は、ドア１の端部だけでなく、該エッジ部材１０の取り付けられているドア１の端部と対向するドア枠２・３の端部にも取り付けられる。即ち、ドア１の枢支側と取手側の両方の端部に上記エッジ部材１０が取り付けられている場合には、ドア枠２とドア枠３の両方の端部に上記エッジ部材１０と同様の構成を有するエッジ部材２０・３０が取り付けられ、枢支側と取手側のいずれか一方のみの場合は、ドア枠２・３の内、ドア１のいずれか一方の端部に対向する側のドア枠２・３に取り付けられることになる。
【００２８】
本体部２１・３１は上記した本体部１１と、弾性部材２３・３３は上記した弾性部材１３と各々同様の構成を有する。尚、硬質移動部材２２・３２の先端部分の形状は、ドア１の回動に伴う枢支側の端部及び取手側の端部の軌跡と接触しないように形成されると共に先端部の片側に覗き見防止用の目隠し部２２Ａ・３２Ａが形成されている点で異なっているが、その他の基本的構成は上記した硬質移動部材１２と同様である。
【００２９】
硬質移動部材１２・２２・３２は、本体部１１・２１・３１に摺動可能に取り付けられると共に弾性部材１３・２３・３３によって付勢支持されていることにより、指挟みが起こった際、挟んだ指に対する加圧力の反作用としての該硬質移動部材１２に対する加圧時に、指から後退する方向に移動する（図２参照）ことで、挟んだ指の怪我の発生を抑制することができる。特に、指に対してドア１とドア枠２・３の両方の端部の硬質移動部材１２・２２・３２が後退移動するため、挟んだ指の角度や方向が様々であっても柔軟に対応することができる。従って挟んだ指への負担が極めて軽く、怪我をし難い。
【００３０】
以上説明した本考案のトイレ用等のドアの指挟み防止装置は上記実施例に限定されず、本考案の範囲内において種々の態様を採ることができる。例えば、下記のような態様を挙げることができる。
【００３１】
硬質移動部材はドアの端部の上端から下端の全てに配設されていてもよいし、手の届く範囲等のように部分的に配設されていてもよい。
【００３２】
用いられるドアとしては、上記実施例のトイレ用に限らず、開き戸式であれば他の部屋等のドアやクローゼットやキャビネット等の部屋以外のドアにも用いることもできる。また、ドアの厚みも限定されず、ドアの構造についても限定されない。例えば、図１、図２及び図３に示すような内部に空洞を有する構造であってもよいし、図４に示すような内部に空洞の無い無垢材であってもよい。
【００３３】
用いられる場所についても特に限定されず、住宅、公共施設、オフィス施設、商業施設、交通施設等、様々な建物のドアに適用することができる。
【００３４】
指挟み防止装置を備えていない既存のドアに本考案の指挟み防止装置を適用することも可能である。即ち、既存のドア１及びドア枠２のエッジ部材を取外して、図３に示すように硬質移動部材１２・２２を有するエッジ部材１０・２０を取り付けることで指挟み防止機能を付与することが可能となる。
【００３５】
硬質移動部材１２・２２・３２等を含むエッジ部材１０・２０・３０の構成についても上記に限定されず、例えば、図４に示すように、硬質移動部材１２・２２（・３２）が本体部１１・２１（・３１）並びにドア１・ドア枠２（・３）の外側を後退移動可能に構成されていてもよい。
【００３６】
本考案の指挟み防止装置は、折れ戸にも適用可能である。折れ戸の場合、折り曲げ部分の両端部に上記した硬質移動部材を有するエッジ部材を配設することで指挟み時の怪我の発生を抑制できる。
【図面の簡単な説明】
【００３７】
【図１】本考案に係るトイレ用等のドアの指挟み防止装置の一実施例を示す部分概略横断面図
【図２】指挟み発生時の硬質移動部材の後退移動状態を示す要部説明断面図
【図３】硬質移動部材を有するエッジ部材の他の実施例を示す要部断面図
【図４】硬質移動部材を有するエッジ部材の他の実施例を示す要部断面図
【符号の説明】
【００３８】
１  トイレ用等のドア
１０  エッジ部材
１１  本体部
１２  硬質移動部材
１３  弾性部材
２  ドア枠
２０  エッジ部材
２１  本体部
２２  硬質移動部材
２２Ａ  目隠し部
２３  弾性部材
３  ドア枠
３０  エッジ部材
３１  本体部
３２  硬質移動部材
３２Ａ  目隠し部
３３  弾性部材
４  ヒンジ機構
５  鍵機構
６  仕切り壁
７  壁面
【図１】
0003113235.tif 000003
【図２】
0003113235.tif 000004
【図３】
0003113235.tif 000005
【図４】
0003113235.tif 000006